(57)【特許請求の範囲】
【請求項１】
無線基地局であって
通信部と、
前記無線基地局がセル範囲を狭める又は送信電力を下げる前に、前記通信部を経由し、前記無線基地局に隣接する隣接無線基地局に対し、前記隣接無線基地局のセル範囲を前記無線基地局の方向に広げることを指示する指示信号を送信する制御部と、を備え、
前記制御部は、
前記隣接無線基地局からセル範囲を前記無線基地局の方向に広げたことを通知する通知信号を受信した後、前記無線基地局のセル範囲を狭める又は送信電力を下げる、
無線基地局。
【請求項２】
前記制御部は、
前記指示信号において、前記隣接無線基地局の送信電力を上げることを指示する、請求項１に記載の無線基地局。
【請求項３】
前記制御部は、
前記指示信号において、前記隣接無線基地局の送信電力を最大送信電力値に上げることを指示する、請求項２に記載の無線基地局。
【請求項４】
前記制御部は、
前記隣接無線基地局のセルを前記無線基地局のセルにオーバラップさせるのに必要な前記隣接無線基地局の送信電力値を保持し、
前記指示信号において、前記隣接無線基地局の送信電力を前記保持する送信電力値に上げることを指示する、請求項２に記載の無線基地局。
【請求項５】
前記制御部は、
前記指示信号において、前記隣接無線基地局の送信電力を徐々に上げることを指示し、
前記隣接無線基地局から受信した電波信号の受信電力を測定し、
前記測定した受信電力が閾値を超えた場合に、前記通信部を経由し、前記隣接無線基地局に対し、前記隣接無線基地局の送信電力を上げることの停止を指示する停止指示信号を送信する、請求項２に記載の無線基地局。
【請求項６】
第１の無線基地局から、前記第１の無線基地局がセル範囲を狭める又は送信電力を下げることを通知する通知信号を受信する通信部と、
前記第１の無線基地局から前記通知信号を受信した場合、前記通信部を経由し、前記第１の無線基地局に隣接する第２の無線基地局に対し、前記第２の無線基地局のセル範囲を前記第１の無線基地局の方向に広げることを指示する指示信号を送信する制御部と、を備え、
前記制御部は、
前記第２の無線基地局からセル範囲を前記第１の無線基地局の方向に広げたことを通知する通知信号を受信した後、前記第１の無線基地局に対し、セル範囲を狭める又は送信電力を下げることを許可することを通知する通知信号を送信する、
コアネットワーク装置。
【請求項７】
第１の無線基地局と、
前記第１の無線基地局に隣接する第２の無線基地局と、を備え、
前記第１の無線基地局は、
前記第１の無線基地局がセル範囲を狭める又は送信電力を下げる前に、前記第２の無線基地局に対し、前記第２の無線基地局のセル範囲を前記第１の無線基地局の方向に広げることを指示する指示信号を送信し、
前記第２の無線基地局からセル範囲を前記第１の無線基地局の方向に広げたことを通知する通知信号を受信した後、前記第１の無線基地局のセル範囲を狭める又は送信電力を下げる、
無線通信システム。
【請求項８】
第１の無線基地局と、
前記第１の無線基地局に隣接する第２の無線基地局と、
コアネットワーク装置と、を備え、
前記第１の無線基地局は、
前記第１の無線基地局がセル範囲を狭める又は送信電力を下げる前に、前記コアネットワーク装置に対し、前記第１の無線基地局がセル範囲を狭める又は送信電力を下げることを通知する通知信号を送信し、
前記コアネットワーク装置は、
前記第１の無線基地局から前記通知信号を受信した場合、前記第２の無線基地局に対し、前記第２の無線基地局のセル範囲を前記第１の無線基地局の方向に広げることを指示する指示信号を送信し、
前記第２の無線基地局からセル範囲を前記第１の無線基地局の方向に広げたことを通知する通知信号を受信した後、前記第１の無線基地局に対し、セル範囲を狭める又は送信電力を下げることを許可することを通知する通知信号を送信する、
無線通信システム。
【請求項９】
無線基地局による無線通信方法であって、
前記無線基地局がセル範囲を狭める又は送信電力を下げる前に、前記無線基地局に隣接する隣接無線基地局に対し、前記隣接無線基地局のセル範囲を前記無線基地局の方向に広げることを指示する指示信号を送信し、
前記隣接無線基地局からセル範囲を前記無線基地局の方向に広げたことを通知する通知信号を受信した後、前記無線基地局のセル範囲を狭める又は送信電力を下げる、
無線通信方法。
【請求項１０】
コアネットワーク装置による無線通信方法であって、
第１の無線基地局から、前記第１の無線基地局がセル範囲を狭める又は送信電力を下げることを通知する通知信号を受信し、
前記第１の無線基地局から前記通知信号を受信した場合、前記第１の無線基地局に隣接する第２の無線基地局に対し、前記第２の無線基地局のセル範囲を前記第１の無線基地局の方向に広げることを指示する指示信号を送信し、
前記第２の無線基地局からセル範囲を前記第１の無線基地局の方向に広げたことを通知する通知信号を受信した後、前記第１の無線基地局に対し、セル範囲を狭める又は送信電力を下げることを許可することを通知する通知信号を送信する、
無線通信方法。
【発明の詳細な説明】
【技術分野】
【０００１】
本発明は、無線基地局、コアネットワーク装置、無線通信システム、無線通信方法に関する。
【背景技術】
【０００２】
近年、無線端末と無線基地局とを用いた無線通信網が普及し、無線端末がいつでも／どこでも／だれとでも無線通信ができる通信サービスが提供されている。また、通信サービスの内容は日々進化しているため、無線基地局は、ソフトウェアを適宜更新する必要がある。その際、無線基地局のリセットを実行する。また、通信サービスを提供している中で、何かしらの不具合が発生した場合にも、無線基地局は、状態をクリアするためにリセットを実行することがある。無線基地局は、リセットを実行する場合はセル範囲（セルは、無線基地局の電波が届く範囲）を狭める（又は送信電力を下げる）。また、無線基地局は、リセット時に限らず、セル範囲を狭める（又は送信電力を下げる）ことがある。【０００３】
しかし、無線基地局がセル範囲を狭める（又は送信電力を下げる）場合、種々の問題が生じる。例えば、セル範囲を狭めた（又は送信電力を下げた）無線基地局に呼接続していた無線端末において、呼切断が発生してしまうことがある。そのため、最近は、無線基地局のセル範囲を狭める（又は送信電力を下げる）場合に、呼切断の発生を回避する技術が提案されている。例えば、特許文献１，２においては、ソフトウェアの更新のために送信電力を下げる場合に、呼切断の発生を回避する技術が提案されている。【０００４】
特許文献１においては、無線基地局が、ソフトウェア更新時に、送信電力を徐々に下げることにより、それまでその無線基地局に呼接続していた無線端末を、その無線基地局に隣接する隣接無線基地局側へハンドオーバさせることが提案されている。これにより、呼切断の発生を回避することが可能になる。【０００５】
また、特許文献２においては、無線基地局が、送信電力を下げて隣接無線基地局のセルとのオーバラップ状態を解除し、通信サービス提供中の通信路を隣接無線基地局に切換え、この状態においてソフトウェアの更新を行うことが提案されている。これによっても、呼切断の発生を回避することが可能になる。【０００６】
ところで、特許文献１，２に記載の技術においては、送信電力を下げる無線基地局のセルが隣接無線基地局のセルとオーバラップしていることが前提になっていると考えられる。しかし、実際には、無線基地局のセルには、隣接無線基地局のセルとオーバラップしていないエリアも存在する。もし、そのようなエリアに無線端末がいる状況で、無線基地局が送信電力を下げた場合、その無線端末は、隣接無線基地局側にハンドオーバすることができないため、呼切断が発生してしまう。以下、この問題に関して、携帯電話装置の通信規格として普及しているＬＴＥ（Long Term Evolution）の無線通信システムを例に挙げて、図１を用いて説明する。【０００７】
一般的に無線基地局のセル範囲は一般的に数ｋｍであり、１台の無線基地局だけでは、カバーできる範囲が限られてしまう。そのため、実際の無線通信網においては、図１のように、無線基地局（ＬＴＥの場合はｅＮＢ（evolved NodeB））を複数台設置し、無線端末が通信できるエリアを広げている。【０００８】
図１においては、７台のｅＮＢ（＃１〜＃７）１０−１〜１０−７を設置し、ｅＮＢ（＃１）１０−１にはｅＮＢ（＃２〜＃７）１０−２〜１０−７が隣接している。ここで、ｅＮＢ（＃１〜＃７）１０−１〜１０−７のセルをそれぞれセル（＃１〜＃７）１０−１ａ〜１０−７ａとする。また、セル（＃１）１０−１ａのエリアでｅＮＢ（＃１）１０−１と通信していた無線端末が、セル（＃２）１０−２ａのエリアに移動すると、その無線端末は通信する無線基地局をｅＮＢ（＃１）１０−１からｅＮＢ（＃２）１０−２に切り替える。この切り替える動作をハンドオーバと呼び、ハンドオーバを実行することにより、無線端末は、セルを跨ぐ移動をした場合でも、呼切断することなく通信を継続することができる。【０００９】
例えば、ｅＮＢ（＃１）１０−１が送信電力を徐々に下げたとする。この場合、ｅＮＢ（＃１）１０−１に隣接するｅＮＢ（＃２〜＃７）１０−２〜１０−７のセル（＃２〜＃７）１０−２ａ〜１０−７ａとオーバラップする斜線部分のエリアにいる無線端末は、オーバラップしているセルに対応するｅＮＢ側にハンドオーバすることができる。しかし、セル（＃１）１０−１ａの空白部分のエリアにいる無線端末は、ｅＮＢ（＃２〜＃７）１０−２〜１０−７のいずれからも電波が届かないため、ハンドオーバすることができず、呼切断が発生してしまう。
【先行技術文献】
【特許文献】
【００１０】
【特許文献１】特開２００６−０７４６８３号公報
【特許文献２】特開２０１０−００４５８０号公報
【発明の概要】
【発明が解決しようとする課題】
【００１１】
上述の通り、特許文献１，２に記載の技術では、セル範囲を狭める（又は送信電力を下げる）無線基地局のセルのエリアのうち、隣接無線基地局のセルとオーバラップしていないエリアにおいては、そのエリアに位置する無線端末の呼切断の発生を回避できないという問題がある。【００１２】
上記の問題は、無線基地局のセル範囲を狭める（又は送信電力を下げる）前に、その無線基地局のセルと隣接無線基地局のセルとがオーバラップするエリアを増やすことで、抑制されると考えられる。【００１３】
そこで本発明の目的の１つは、上述した課題を解決し、無線基地局のセル範囲を狭める（又は送信電力を下げる）前に、その無線基地局のセルと隣接無線基地局のセルとがオーバラップするエリアを増やすことができる無線基地局、コアネットワーク装置、無線通信システム、無線通信方法を提供することにある。
【課題を解決するための手段】
【００１４】
一態様において、無線基地局は、通信部と、前記無線基地局がセル範囲を狭める又は送信電力を下げる前に、前記通信部を経由し、前記無線基地局に隣接する隣接無線基地局に対し、前記隣接無線基地局のセル範囲を前記無線基地局の方向に広げることを指示する指示信号を送信する制御部と、を備える。【００１５】
一態様において、コアネットワーク装置は、第１の無線基地局から、前記第１の無線基地局がセル範囲を狭める又は送信電力を下げることを通知する通知信号を受信する通信部と、前記第１の無線基地局から前記通知信号を受信した場合、前記通信部を経由し、前記第１の無線基地局に隣接する第２の無線基地局に対し、前記第２の無線基地局のセル範囲を前記第１の無線基地局の方向に広げることを指示する指示信号を送信する制御部と、を備える。【００１６】
一態様において、第１の無線通信システムは、第１の無線基地局と、前記第１の無線基地局に隣接する第２の無線基地局と、を備える。前記第１の無線基地局は、前記第１の無線基地局がセル範囲を狭める又は送信電力を下げる前に、前記第２の無線基地局に対し、前記第２の無線基地局のセル範囲を前記第１の無線基地局の方向に広げることを指示する指示信号を送信する。【００１７】
一態様において、第２の無線通信システムは、第１の無線基地局と、前記第１の無線基地局に隣接する第２の無線基地局と、コアネットワーク装置と、を備える。前記第１の無線基地局は、前記第１の無線基地局がセル範囲を狭める又は送信電力を下げる前に、前記コアネットワーク装置に対し、前記第１の無線基地局がセル範囲を狭める又は送信電力を下げることを通知する通知信号を送信する。前記コアネットワーク装置は、前記第１の無線基地局から前記通知信号を受信した場合、前記第２の無線基地局に対し、前記第２の無線基地局のセル範囲を前記第１の無線基地局の方向に広げることを指示する指示信号を送信する。【００１８】
一態様において、第１の無線通信方法は、無線基地局による無線通信方法である。前記無線通信方法では、前記無線基地局がセル範囲を狭める又は送信電力を下げる前に、前記無線基地局に隣接する隣接無線基地局に対し、前記隣接無線基地局のセル範囲を前記無線基地局の方向に広げることを指示する指示信号を送信する。【００１９】
一態様において、第２の無線通信方法は、コアネットワーク装置による無線通信方法である。前記無線通信方法では、第１の無線基地局から、前記第１の無線基地局がセル範囲を狭める又は送信電力を下げることを通知する通知信号を受信し、前記第１の無線基地局から前記通知信号を受信した場合、前記第１の無線基地局に隣接する第２の無線基地局に対し、前記第２の無線基地局のセル範囲を前記第１の無線基地局の方向に広げることを指示する指示信号を送信する。
【発明の効果】
【００２０】
上述の態様によれば、無線基地局のセル範囲を狭める又は送信電力を下げる前に、その無線基地局のセルと隣接無線基地局のセルとがオーバラップするエリアを増やすことができるという効果が得られる。
【図面の簡単な説明】
【００２１】
【図１】無線通信システムにおけるセル配置の一例を示す図である。
【図２】実施形態１に係る無線通信システムの構成例を示す図である。
【図３】実施形態２に係る無線通信システムの構成例を示す図である。
【図４】実施形態３〜６に係る無線通信システムの構成例を示す図である。
【図５】実施形態３〜６に係るｅＮＢの構成例を示す図である。
【図６】実施形態３に係る無線通信システムの動作例を示すシーケンス図である。
【図７】実施形態３，４に係る無線通信システムにより変更されたセル配置の一例を示す図である。
【図８】実施形態４，６に係るＭＭＥの構成例を示す図である。
【図９】実施形態４に係る無線通信システムの動作例を示すシーケンス図である。
【図１０】実施形態５に係る無線通信システムの動作例を示すシーケンス図である。
【図１１】実施形態５，６に係る無線通信システムにより変更されたセル配置の一例を示す図である。
【図１２】実施形態６に係る無線通信システムの動作例を示すシーケンス図である。
【発明を実施するための形態】
【００２２】
以下、図面を参照して本発明の実施形態について説明する。
（１）実施形態１
図２に、本実施形態の無線通信システムの構成例を示す。本実施形態の無線通信システムは、無線基地局（第１の無線基地局）１−１と、無線基地局１−１に隣接する隣接無線基地局である無線基地局（第２の無線基地局）１−２と、を備えている。無線基地局１−１は、通信部１Ａと、制御部１Ｂと、を備えている。なお、本実施形態は、無線基地局１−１の構成に特徴があるため、無線基地局１−２の構成の説明は省略する。
【００２３】
通信部１Ａは、無線基地局１−２と通信を行う部分である。制御部１Ｂは、無線基地局１−１がセル範囲を狭める（又は送信電力を下げる）場合、セル範囲を狭める（又は送信電力を下げる）前に、通信部１Ａを経由し、無線基地局１−２に対し、無線基地局１−２のセル範囲を無線基地局１−１の方向に広げることを指示する指示信号を送信する。なお、セル範囲を狭める（又は送信電力を下げる）という動作には、リセット動作も含まれるとする。また、指示信号は、指向性アンテナを用いるか、無指向性アンテナを用いるかを指示する情報を含んでいても良い。また、指示信号は、無線基地局１−２の送信電力を上げることを指示する信号であっても良いし、無線基地局１−２の指向性アンテナの向きを無線基地局１−１の向きに変更することを指示する信号であっても良い。
【００２４】
上述したように本実施形態においては、無線基地局１−１は、セル範囲を狭める（又は送信電力を下げる）前に、無線基地局１−１に隣接する無線基地局１−２に対し、無線基地局１−２のセル範囲を無線基地局１−１の方向に広げることを指示する指示信号を送信する。これにより、無線基地局１−１がセル範囲を狭める（又は送信電力を下げる）前に、無線基地局１−１のセルと無線基地局１−２のセルとがオーバラップするエリアを増やすことができる。
【００２５】
（２）実施形態２
図３に、本実施形態の無線通信システムの構成例を示す。本実施形態の無線通信システムは、無線基地局（第１の無線基地局）１−１と、無線基地局１−１に隣接する隣接無線基地局である無線基地局（第２の無線基地局）１−２と、コアネットワーク（Core Network）に配置されたコアネットワーク装置２と、を備えている。コアネットワーク装置２は、通信部２Ａと、制御部２Ｂと、を備えている。なお、本実施形態は、コアネットワーク装置２の構成に特徴があるため、無線基地局１−１，１−２の構成の説明は省略する。
【００２６】
通信部２Ａは、無線基地局１−１，１−２と通信を行う部分である。例えば、通信部２Ａは、無線基地局１−１から、無線基地局１−１がセル範囲を狭める（又は送信電力を下げる）ことを通知する通知信号を受信する。制御部２Ｂは、無線基地局１−１から上記の通知信号を受信した場合、無線基地局１−１に隣接する無線基地局１−２に対し、通信部２Ａを経由し、無線基地局１−２のセル範囲を無線基地局１−１の方向に広げることを指示する指示信号を送信する。なお、指示信号は、指向性アンテナを用いるか、無指向性アンテナを用いるかを指示する情報を含んでいても良い。また、指示信号は、無線基地局１−２の送信電力を上げることを指示する信号であっても良いし、無線基地局１−２の指向性アンテナの向きを無線基地局１−１の向きに変更することを指示する信号であっても良い。
【００２７】
上述したように本実施形態においては、コアネットワーク装置２は、無線基地局１−１から、無線基地局１−１がセル範囲を狭める（又は送信電力を下げる）ことを通知する通知信号を受信した場合、無線基地局１−１に隣接する無線基地局１−２に対し、無線基地局１−２のセル範囲を無線基地局１−１の方向に広げることを指示する指示信号を送信する。これにより、無線基地局１−１がセル範囲を狭める（又は送信電力を下げる）前に、無線基地局１−１のセルと無線基地局１−２のセルとがオーバラップするエリアを増やすことができる。
【００２８】
（３）実施形態３
本実施形態は、実施形態１の無線通信システムをＬＴＥの無線通信システムに適用した例である。図４に、本実施形態のＬＴＥの無線通信システムのネットワーク構成例を示す。図４に示されるＬＴＥの無線通信システムは、無線ネットワークのＥ−ＵＴＲＡＮ（Evolved Universal Terrestrial Radio Network）１１０とコアネットワークのＥＰＣ（Evolved Packet Core）２１０とで構成されている。ＥＰＣ２１０は、ネットワーク制御のコントロールプレーン（Control plane）を扱うＭＭＥ（Mobility Management Entity）２０と、ユーザデータのユーザプレーン（User plane）を扱うＳ−ＧＷ（Serving Gateway）２１と、インターネットのような外部ネットワークへ接続するためのＰ−ＧＷ（Packet data network Gateway）２２と、を含んでいる。なお、ＭＭＥ２０は、コアネットワーク装置の一例である。また、Ｅ−ＵＴＲＡＮ１１０は、複数台のｅＮＢ（＃１〜＃３）１０−１〜１０−３を含んでいる。複数台のｅＮＢ（＃１〜＃３）１０−１〜１０−３は、互いにＸ２リンク１１を介して接続され、また、ＥＰＣ２１０側とはＳ１リンク２３を介して接続されている。なお、図４では、３台のｅＮＢ（＃１〜＃３）１０−１〜１０−３のみを図示しているが、本実施形態においては、Ｅ−ＵＴＲＡＮ１１０は、図１に示される７台のｅＮＢ（＃１〜＃７）１０−１〜１０−７を少なくとも含んで構成されるものとする。また、ｅＮＢ（＃１）１０−１が図２の無線基地局１−１に対応し、ｅＮＢ（＃２〜＃７）１０−２〜１０−７が図２の無線基地局１−２に対応するものとする。
【００２９】
次に、ｅＮＢ（＃１）１０−１の構成を説明する。図５に、ｅＮＢ（＃１）１０−１の構成例を示す。図５に示されるｅＮＢ（＃１）１０−１は、アンテナ１０１と、無線部１０２と、制御部１０３と、通信ＩＦ（Interface）部１０４と、を備えている。なお、制御部１０３が図２の制御部１Ｂに対応し、通信ＩＦ部１０４が図２の通信部１Ａに対応するものとする。ｅＮＢ（＃１）１０−１は、携帯電話装置等の無線端末であるＵＥ（User Equipment）１２から送信された電波信号をアンテナ１０１で受信した場合、受信した電波信号を無線部１０２で電気信号に変換する。無線部１０２で変換した電気信号に対しては、各種通信サービスを行うための処理を制御部１０３で実行する。その後、ネットワーク制御のコントロールプレーンのデータは通信ＩＦ部１０４を経由してＭＭＥ２０に送信され、ユーザプレーンのユーザデータは通信ＩＦ部１０４を経由してＳ−ＧＷ２１／Ｐ−ＧＷ２２に送信される。また、ｅＮＢ（＃１）１０−１は、ＵＥ１２に電波信号を送信する場合には、上記プロセスと逆のプロセスを実行する。また、ｅＮＢ（＃１）１０−１は、ハンドオーバ動作等で他のｅＮＢ（＃２〜＃７）１０−２〜１０−７との通信を実行する場合にも通信ＩＦ部１０４を経由して通信を行う。なお、以降で説明するｅＮＢ（＃１）１０−１の処理のうち主体を特定していない処理は、制御部１０３が行うものとする。また、ｅＮＢ（＃１）１０−１は、制御部１０３の内部又は外部に不図示のメモリを備えており、以降で説明する、ｅＮＢ（＃１）１０−１内で保持する情報は、このメモリに格納されるとする。また、図４では、ｅＮＢ（＃１）１０−１の構成を示しているが、他のｅＮＢ（＃２〜＃７）１０−２〜１０−７の構成も同様であるとする。
【００３０】
なお、本実施形態においては、ｅＮＢ（＃１〜＃７）１０−１〜１０−７のアンテナ１０１は、無指向性のアンテナであるとする。
【００３１】
以下、本実施形態に係る無線通信システムにおいて、ｅＮＢ（＃１）１０−１がリセットを実行するためにセル範囲を狭める（又は送信電力を下げる）場合の動作について、図６を参照して説明する。ここでは、ｅＮＢ（＃１）１０−１がセル範囲を狭める（又は送信電力を下げる）前のｅＮＢ（＃１〜＃７）１０−１〜１０−７のセル配置が、図１に示されるセル配置になっているとする。
【００３２】
ｅＮＢ（＃１）１０−１がリセットを実行するためにセル範囲を狭める（又は送信電力を下げる）ことになった場合、ｅＮＢ（＃１）１０−１の制御部１０３は、通信ＩＦ部１０４を経由し、ｅＮＢ（＃１）１０−１に隣接しているｅＮＢ（＃２，＃４，＃６）１０−２，１０−４，１０−６に対し、送信電力を上げることを指示する指示信号を送信する（ステップＡ１）。なお、本実施形態においては、ステップＡ１の指示信号の送信先を、隣接している３台のｅＮＢ（＃２，＃４，＃６）１０−２，１０−４，１０−６としたが、特に３台である必要はなく、１台でも良いし、隣接している全てのｅＮＢ（＃２〜＃７）１０−２〜１０−７でも良い。このとき、送信先として任意数又は所定数（例えば、１台や３台）分のｅＮＢを選択するに際しては、隣接しているｅＮＢ（＃２〜＃７）１０−２〜１０−７毎に、ハンドオーバ元がｅＮＢ（＃１）１０−１であるハンドオーバでハンドオーバ先となった回数を保持しておき、その回数が多いものから順番に任意数又は所定数分のｅＮＢを選択しても良い。また、ステップＡ１の指示信号は、送信電力値を最大値に上げることを指示する信号であっても良い。また、ステップＡ１の指示信号は、具体的な送信電力値を指示する信号であっても良い。この場合の送信電力値は、隣接しているｅＮＢ（＃２〜＃７）１０−２〜１０−７毎に、そのｅＮＢのセルをオーバラップさせるのに必要な送信電力値を保持しておき、その送信電力値としても良い。また、ステップＡ１の指示信号は、Ｘ２  ｓｅｔｕｐ  Ｒｅｑｕｅｓｔメッセージ、ＨＯ（Handover）  Ｒｅｑｕｅｓｔメッセージ、又はｅＮＢ  Ｒｅｃｏｎｆｉｇｕｒａｔｉｏｎ  Ｕｐｄａｔｅメッセージに含めて送信しても良いし、新規のメッセージに含めて送信しても良い。
【００３３】
ｅＮＢ（＃２，＃４，＃６）１０−２，１０−４，１０−６では、通信ＩＦ部１０４を経由し制御部１０３にて、ｅＮＢ（＃１）１０−１からの、送信電力を上げることを指示する指示信号を受信する。ｅＮＢ（＃２，＃４，＃６）１０−２，１０−４，１０−６では、その指示信号を受信した制御部１０３が、無線部１０２を制御して、アンテナ１０１から送信している電波信号の送信電力を上げる（ステップＡ２）。本動作により、図７に示されるように、ｅＮＢ（＃２，＃４，＃６）１０−２，１０−４，１０−６のセルの範囲が全方向に広がり、ｅＮＢ（＃１）１０−１のセルと完全にオーバラップする。なお、本実施形態においては、ｅＮＢ（＃２，＃４，＃６）１０−２，１０−４，１０−６のセルの範囲がｅＮＢ（＃１）１０−１のセルと完全にオーバラップすることは一例であり、一部がオーバラップするだけでも良い。次に、ｅＮＢ（＃２，＃４，＃６）１０−２，１０−４，１０−６の制御部１０３は、通信ＩＦ部１０４を経由し、ｅＮＢ（＃１）１０−１に対し、送信電力を上げたことを通知する通知信号を送信する（ステップＡ３）。なお、本実施形態においては、ステップＡ３の通知信号は、Ｘ２  ｓｅｔｕｐ  Ｒｅｓｐｏｎｓｅメッセージ、ＨＯ  Ｒｅｑｕｅｓｔ  Ａｃｋｎｏｗｌｅｄｇｅメッセージ、又はｅＮＢ  Ｃｏｎｆｉｇｕｒａｔｉｏｎ  Ｕｐｄａｔｅ  Ａｃｋｎｏｗｌｅｄｇｅメッセージに含めて送信しても良いし、新規のメッセージに含めて送信しても良い。
【００３４】
ｅＮＢ（＃１）１０−１では、通信ＩＦ部１０４を経由し制御部１０３にて、ｅＮＢ（＃２，＃４，＃６）１０−２，１０−４，１０−６からの、送信電力を上げたことを通知する通知信号を受信する。ｅＮＢ（＃１）１０−１では、その通知信号を受信した制御部１０３が、無線部１０２を制御して、アンテナ１０１から送信している電波信号の送信電力を徐々に下げる（ステップＡ４）。ｅＮＢ（＃１）１０−１は、呼接続していた全てのＵＥ１２が他のｅＮＢ（＃２，＃４，＃６）１０−２，１０−４，１０−６のいずれかにハンドオーバしたか、又は送信電力が最小値まで下がった場合に（ステップＡ５）、制御部１０３にてリセットが実行される（ステップＡ６）。なお、本実施形態においては、呼接続していた全てのＵＥ１２がハンドオーバすることは一例であり、一部のＵＥ１２がハンドオーバした場合にステップＡ６が行われても良い。リセットが完了した場合（ソフトウェア更新のためのリセットであれば、リセット後のソフトウェア更新までが完了した場合）、ｅＮＢ（＃１）１０−１の制御部１０３が、無線部１０２を制御して、アンテナ１０１から送信している電波信号の送信電力を元に戻す（ステップＡ７）。次に、ｅＮＢ（＃１）１０−１の制御部１０３は、通信ＩＦ部１０４を経由し、ｅＮＢ（＃２，＃４，＃６）１０−２，１０−４，１０−６に対し、送信電力を下げる（元に戻す）ことを指示する指示信号を送信する（ステップＡ８）。なお、本実施形態においては、ステップＡ８の指示信号は、ステップＡ１の指示信号と同様のメッセージに含めて送信して良い。
【００３５】
ｅＮＢ（＃２，＃４，＃６）１０−２，１０−４，１０−６では、通信ＩＦ部１０４を経由し制御部１０３にて、ｅＮＢ（＃１）１０−１からの、送信電力を下げる（元に戻す）ことを指示する指示信号を受信する。ｅＮＢ（＃２，＃４，＃６）１０−２，１０−４，１０−６では、その指示信号を受信した制御部１０３が、無線部１０２を制御して、アンテナ１０１から送信している電波信号の送信電力を下げる（元に戻す）（ステップＡ９）。本動作により、図１に示されるように、ｅＮＢ（＃２，＃４，＃６）１０−２，１０−４，１０−６のセル範囲は縮小し、ｅＮＢ（＃１）１０−１のセル範囲とオーバラップする部分（斜線部分）とオーバラップしない部分（空白部分）が発生する状態に戻る。
【００３６】
上述したように本実施形態においては、ｅＮＢ（＃１）１０−１は、セル範囲を狭める（又は送信電力を下げる）前に、ｅＮＢ（＃１）１０−１に隣接するｅＮＢ（＃２，＃４，＃６）１０−２，１０−４，１０−６に対し、送信電力を上げることを指示する指示信号を送信する。これにより、ｅＮＢ（＃１）１０−１がセル範囲を狭める（又は送信電力を下げる）前に、ｅＮＢ（＃１）１０−１のセルとｅＮＢ（＃２，＃４，＃６）１０−２，１０−４，１０−６のセルとがオーバラップするエリアを増やすことができる。そのため、ｅＮＢ（＃１）１０−１がセル範囲を狭めるために送信電力を下げた場合に、ｅＮＢ（＃２〜＃７）１０−２〜１０−７のいずれにもハンドオーバできないＵＥ１２を減らすことができるため、ＵＥ１２に呼切断が発生してしまうという問題を抑制することができる。
特に図７の例では、ｅＮＢ（＃２，＃４，＃６）１０−２，１０−４，１０−６のセルがｅＮＢ（＃１）１０−１のセルと完全にオーバラップしており、ｅＮＢ（＃１）１０−１のセルの中で隣接ｅＮＢのセルとオーバラップしていないエリアを無くすことができる。その結果、ＵＥ１２が隣接ｅＮＢにハンドオーバできずに呼切断が発生してしまうという問題は生じない。
【００３７】
なお、本実施形態においては、ステップＡ２，Ａ３において、ｅＮＢ（＃１）１０−１から指示を受けた、ｅＮＢ（＃２，＃４，＃６）１０−２，１０−４，１０−６の全てが、送信電力を上げていた。しかし、ｅＮＢ（＃２，＃４，＃６）１０−２，１０−４，１０−６は、送信電力が既に最大値である場合等は、ｅＮＢ（＃１）１０−１からの指示を拒否しても良い。拒否する場合は、ステップＡ３では、拒否することを通知する通知信号を送信する。この場合の通知信号は、Ｘ２  ｓｅｔｕｐ  Ｆａｉｌｕｒｅメッセージ又はｅＮＢ  Ｃｏｎｆｉｇｕｒａｔｉｏｎ  Ｕｐｄａｔｅ  Ｆａｉｌｕｒｅメッセージに含めて送信しても良いし、ＨＯ  Ｒｅｑｕｅｓｔ  Ａｃｋｎｏｗｌｅｄｇｅメッセージの拒否に関する情報要素に含めて送信しても良い。
【００３８】
また、本実施形態においては、ステップＡ３において、ｅＮＢ（＃１）１０−１は、上記の拒否を受ける場合がある。そのため、次の構成としても良い。ｅＮＢ（＃１）１０−１は、ステップＡ１で指示信号を送信した時点でタイマを起動する。そして、ｅＮＢ（＃１）１０−１は、任意時間又は所定時間内に、ｅＮＢ（＃２，＃４，＃６）１０−２，１０−４，１０−６の少なくとも１つから送信電力を上げたことを通知する通知信号が受信できた場合はステップＡ４に進み、その他の場合はステップＡ１に戻って、隣接している別のｅＮＢに指示信号を送信する。
【００３９】
また、本実施形態においては、ｅＮＢ（＃１）１０−１が上記の拒否を受けないようにするため、次の構成としても良い。ｅＮＢ（＃１）１０−１は、ｅＮＢ（＃２〜＃７）１０−２〜１０−７の現在の送信電力値を取得し、保持する。そして、ｅＮＢ（＃１）１０−１は、ステップＡ１の指示信号の送信先として任意数又は所定数（例えば、１台や３台）分のｅＮＢを選択するに際しては、現在の送信電力値が低いものから順番に任意数又は所定数分のｅＮＢを選択する。又は、ｅＮＢ（＃１）１０−１は、ｅＮＢ（＃２〜＃７）１０−２〜１０−７の最大送信電力値もさらに保持しておき、現在の送信電力値と最大送信電力値との差分が大きいものから順番に任意数又は所定数分のｅＮＢを選択する。
【００４０】
また、本実施形態においては、ステップＡ１において、ｅＮＢ（＃１）１０−１は、送信電力値を徐々に上げるよう指示しても良い。このとき、送信電力値の上げ幅や、送信電力値を上げる周期は、任意に設定して良い。そして、ｅＮＢ（＃１）１０−１は、ネットワークリスニング機能により、ｅＮＢ（＃２，＃４，＃６）１０−２，１０−４，１０−６からの電波信号の受信電力を測定し、受信電力が閾値を超えた時点で、セルがオーバラップしたと判断し、送信電力値を上げるのを停止することを指示する指示信号を送信しても良い。
【００４１】
また、本実施形態においては、ステップＡ１において、ｅＮＢ（＃１）１０−１は、送信電力を上げるタイミング（時刻や、任意時間又は所定時間の経過後等）を指示信号で指示しても良い。
【００４２】
（４）実施形態４
本実施形態は、実施形態２の無線通信システムをＬＴＥの無線通信システムに適用した例である。なお、本実施形態のＬＴＥの無線通信システムのネットワーク構成及びｅＮＢ（＃１〜＃７）１０−１〜１０−７の構成は、実施形態１と同様である。また、ｅＮＢ（＃１）１０−１が図３の無線基地局１−１に対応し、ｅＮＢ（＃２〜＃７）１０−２〜１０−７が図３の無線基地局１−２に対応するものとする。
【００４３】
次に、ＭＭＥ２０の構成を説明する。図８に、ＭＭＥ２０の構成例を示す。図８に示されるＭＭＥ２０は、制御部２０１と、通信ＩＦ部２０２と、を備えている。なお、制御部２０１が図３の制御部２Ｂに対応し、通信ＩＦ部２０２が図３の通信部２Ａに対応するものとする。ＭＭＥ２０は、ｅＮＢ（＃１〜＃７）１０−１〜１０−７からネットワーク制御のコントロールプレーンのデータを通信ＩＦ部１０４で受信した場合、受信したデータを基に、各種ネットワーク制御を行うための処理を制御部２０１で実行する。また、ＭＭＥ２０は、ｅＮＢ（＃１〜＃７）１０−１〜１０−７にデータを送信する場合には、上記プロセスと逆のプロセスを実行する。なお、以降で説明するＭＭＥ２０の処理のうち主体を特定していない処理は、制御部２０１が行うものとする。また、ＭＭＥ２０は、制御部２０１の内部又は外部に不図示のメモリを備えており、以降で説明する、ＭＭＥ２０内で保持する情報は、このメモリに格納されるとする。
【００４４】
以下、本実施形態に係る無線通信システムにおいて、ｅＮＢ（＃１）１０−１がリセットを実行するためにセル範囲を狭める（又は送信電力を下げる）場合の動作について、図９を参照して説明する。ここでは、ｅＮＢ（＃１）１０−１がセル範囲を狭める（又は送信電力を下げる）前のｅＮＢ（＃１〜＃７）１０−１〜１０−７のセル配置が、図１に示されるセル配置になっているとする。
【００４５】
ｅＮＢ（＃１）１０−１がリセットを実行するためにセル範囲を狭める（又は送信電力を下げる）ことになった場合、ｅＮＢ（＃１）１０−１の制御部１０３は、通信ＩＦ部１０４を経由し、ＭＭＥ２０に対し、セル範囲を狭める（又は送信電力を下げる）ことを通知する通知信号を送信する（ステップＢ１）。なお、本実施形態においては、ステップＢ１の通知信号は、ＭＭＥ  Ｃｏｎｆｉｇｕｒａｔｉｏｎ  Ｕｐｄａｔｅメッセージ、ＭＭＥ  Ｄｉｒｅｃｔ  Ｉｎｆｏｒｍａｔｉｏｎ  Ｔｒａｎｓｆｅｒメッセージ、又はＭＭＥ  Ｃｏｎｆｉｇｕｒａｉｏｎ  Ｔｒａｎｓｆｅｒメッセージに含めて送信しても良いし、新規のメッセージに含めて送信しても良い。
【００４６】
ＭＭＥ２０では、通信ＩＦ部２０２を経由し制御部２０１にて、ｅＮＢ（＃１）１０−１からの、セル範囲を狭める（又は送信電力を下げる）ことを通知する通知信号を受信する。ＭＭＥ２０では、その通知信号を受信した制御部２０１が、ｅＮＢ（＃１）１０−１に隣接しているｅＮＢ（＃２，＃４，＃６）１０−２，１０−４，１０−６に対し、送信電力を上げることを指示する指示信号を送信する（ステップＢ２）。なお、本実施形態においては、ステップＢ２の指示信号の送信先を、ｅＮＢ（＃１）１０−１に隣接している３台のｅＮＢ（＃２，＃４，＃６）１０−２，１０−４，１０−６としたが、特に３台である必要はなく、１台でも良いし、隣接している全てのｅＮＢ（＃２〜＃７）１０−２〜１０−７でも良い。このとき、送信先として任意数又は所定数（例えば、１台や３台）分のｅＮＢを選択するに際しては、ｅＮＢ（＃１）１０−１に隣接しているｅＮＢ（＃２〜＃７）１０−２〜１０−７毎に、ハンドオーバ元がｅＮＢ（＃１）１０−１であるハンドオーバでハンドオーバ先となった回数を保持しておき、その回数が多いものから順番に任意数又は所定数分のｅＮＢを選択しても良い。また、ステップＢ２の指示信号は、送信電力値を最大値に上げることを指示する信号であっても良い。また、ステップＢ２の指示信号は、具体的な送信電力値を指示する信号であっても良い。この場合の送信電力値は、ｅＮＢ（＃１）１０−１に隣接しているｅＮＢ（＃２〜＃７）１０−２〜１０−７毎に、そのｅＮＢのセルをｅＮＢ（＃１）１０−１のセル（＃１）１０−１ａにオーバラップさせるのに必要な送信電力値を保持しておき、その送信電力値としても良い。また、ステップＢ２の指示信号は、ｅＮＢ  Ｃｏｎｆｉｇｕｒａｔｉｏｎ  Ｕｐｄａｔｅメッセージ、ｅＮＢ  Ｄｉｒｅｃｔ  Ｉｎｆｏｒｍａｔｉｏｎ  Ｔｒａｎｓｆｅｒメッセージ、又はｅＮＢ  Ｃｏｎｆｉｇｕｒａｉｏｎ  Ｔｒａｎｓｆｅｒメッセージに含めて送信しても良いし、新規のメッセージに含めて送信しても良い。
【００４７】
ｅＮＢ（＃２，＃４，＃６）１０−２，１０−４，１０−６では、通信ＩＦ部１０４を経由し制御部１０３にて、ＭＭＥ２０からの、送信電力を上げることを指示する指示信号を受信する。ｅＮＢ（＃２，＃４，＃６）１０−２，１０−４，１０−６では、その指示信号を受信した制御部１０３が、無線部１０２を制御して、アンテナ１０１から送信している電波信号の送信電力を上げる（ステップＢ３）。本動作により、図７に示されるように、ｅＮＢ（＃２，＃４，＃６）１０−２，１０−４，１０−６のセル範囲が全方向に広がり、ｅＮＢ（＃１）１０−１のセル範囲と完全にオーバラップする。なお、本実施形態においては、ｅＮＢ（＃２，＃４，＃６）１０−２，１０−４，１０−６のセルの範囲がｅＮＢ（＃１）１０−１のセルと完全にオーバラップすることは一例であり、一部がオーバラップするだけでも良い。次に、ｅＮＢ（＃２，＃４，＃６）１０−２，１０−４，１０−６の制御部１０３は、通信ＩＦ部１０４を経由し、ＭＭＥ２０に対し、送信電力を上げたことを通知する通知信号を送信する（ステップＢ４）。なお、本実施形態においては、ステップＢ４の通知信号は、ステップＢ１の通知信号と同様のメッセージに含めて送信して良い。
【００４８】
ＭＭＥ２０では、通信ＩＦ部２０２を経由し制御部２０１にて、ｅＮＢ（＃２，＃４，＃６）１０−２，１０−４，１０−６からの、送信電力を上げたことを通知する通知信号を受信する。ＭＭＥ２０は、その通知信号を受信した制御部２０１にて、通信ＩＦ部１０４を経由し、ｅＮＢ（＃１）１０−１に対し、セル範囲を狭める（又は送信電力を下げる）ことを許可することを通知する通知信号を送信する（ステップＢ５）。なお、本実施形態においては、ステップＢ５の通知信号は、ステップＢ２の指示信号と同様のメッセージに含めて送信して良い。
【００４９】
ｅＮＢ（＃１）１０−１では、通信ＩＦ部１０４を経由し制御部１０３にて、ＭＭＥ２０からの、セル範囲を狭める（又は送信電力を下げる）ことを許可することを通知する通知信号を受信する。ｅＮＢ（＃１）１０−１では、その通知信号を受信した制御部１０３が、無線部１０２を制御して、アンテナ１０１から送信している電波信号の送信電力を徐々に下げる（ステップＢ６）。ｅＮＢ（＃１）１０−１は、呼接続していた全てのＵＥ１２が他のｅＮＢ（＃２，＃４，＃６）１０−２，１０−４，１０−６のいずれかにハンドオーバしたか、又は送信電力が最小値まで下がった場合に（ステップＢ７）、制御部１０３にてリセットが実行される（ステップＢ８）。なお、本実施形態においては、呼接続していた全てのＵＥ１２がハンドオーバすることは一例であり、一部のＵＥ１２がハンドオーバした場合にステップＢ８が行われても良い。リセットが完了した場合（ソフトウェア更新のためのリセットであれば、リセット後のソフトウェア更新までが完了した場合）、ｅＮＢ（＃１）１０−１の制御部１０３が、無線部１０２を制御して、アンテナ１０１から送信している電波信号の送信電力を元に戻す（ステップＢ９）。次に、ｅＮＢ（＃１）１０−１の制御部１０３は、通信ＩＦ部１０４を経由し、ＭＭＥ２０に対し、セル範囲を元に戻した（又は送信電力を元に戻した）ことを通知する通知信号を送信する（ステップＢ１０）。なお、本実施形態においては、ステップＢ１０の通知信号は、ステップＢ１の通知信号と同様のメッセージに含めて送信して良い。
【００５０】
ＭＭＥ２０では、通信ＩＦ部２０２を経由し制御部２０１にて、ｅＮＢ（＃１）１０−１からの、セル範囲を元に戻した（又は送信電力を元に戻した）ことを通知する通知信号を受信する。ＭＭＥ２０では、その通知信号を受信した制御部２０１が、ｅＮＢ（＃２，＃４，＃６）１０−２，１０−４，１０−６に対し、送信電力を下げる（元に戻す）ことを指示する指示信号を送信する（ステップＢ１１）。なお、本実施形態においては、ステップＢ１１の指示信号は、ステップＢ２の指示信号と同様のメッセージに含めて送信して良い。
【００５１】
ｅＮＢ（＃２，＃４，＃６）１０−２，１０−４，１０−６では、通信ＩＦ部１０４を経由し制御部１０３にて、ＭＭＥ２０からの、送信電力を下げる（元に戻す）ことを指示する指示信号を受信する。ｅＮＢ（＃２，＃４，＃６）１０−２，１０−４，１０−６では、その指示信号を受信した制御部１０３が、無線部１０２を制御して、アンテナ１０１から送信している電波信号の送信電力を下げる（元に戻す）（ステップＢ１２）。本動作により、図１に示されるように、ｅＮＢ（＃２，＃４，＃６）１０−２，１０−４，１０−６のセル範囲は縮小し、ｅＮＢ（＃１）１０−１のセル範囲とオーバラップする部分（斜線部分）とオーバラップしない部分（空白部分）が発生する状態に戻る。
【００５２】
上述したように本実施形態においては、ＭＭＥ２０は、ｅＮＢ（＃１）１０−１がセル範囲を狭める（又は送信電力を下げる）前に、ｅＮＢ（＃１）１０−１に隣接するｅＮＢ（＃２，＃４，＃６）１０−２，１０−４，１０−６に対し、送信電力を上げることを指示する指示信号を送信する。これにより、ｅＮＢ（＃１）１０−１がセル範囲を狭める（又は送信電力を下げる）前に、ｅＮＢ（＃１）１０−１のセルとｅＮＢ（＃２，＃４，＃６）１０−２，１０−４，１０−６のセルとがオーバラップするエリアを増やすことができる。その他の効果は実施形態３と同様である。
【００５３】
なお、本実施形態においては、実施形態３と同様に、ｅＮＢ（＃２，＃４，＃６）１０−２，１０−４，１０−６は、ステップＢ２のＭＭＥ２０からの送信電力を上げる指示を拒否しても良い。
【００５４】
また、本実施形態においては、ＭＭＥ２０は、上記の拒否を受ける場合があるため、実施形態３と同様に、次の構成としても良い。ＭＭＥ２０は、ステップＢ２で指示信号を送信した時点でタイマを起動する。そして、ＭＭＥ２０は、任意時間又は所定時間内に、ｅＮＢ（＃２，＃４，＃６）１０−２，１０−４，１０−６の少なくとも１つから送信電力を上げたことを通知する通知信号が受信できた場合はステップＢ５に進み、その他の場合はステップＢ２に戻って、隣接している別のｅＮＢに指示信号を送信する。
【００５５】
また、本実施形態においては、ＭＭＥ２０が上記の拒否を受けないようにするため、実施形態３と同様に、次の構成としても良い。ＭＭＥ２０は、ｅＮＢ（＃１〜＃７）１０−１〜１０−７の現在の送信電力値を取得し、保持する。そして、ＭＭＥ２０は、ステップＢ２の指示信号の送信先として任意数又は所定数（例えば、１台や３台）分のｅＮＢを選択するに際しては、ｅＮＢ（＃２〜＃７）１０−２〜１０−７の中から、現在の送信電力値が低いものから順番に任意数又は所定数分のｅＮＢを選択する。又は、ＭＭＥ２０は、ｅＮＢ（＃１〜＃７）１０−１〜１０−７の最大送信電力値もさらに保持しておき、ｅＮＢ（＃２〜＃７）１０−２〜１０−７の中から、現在の送信電力値と最大送信電力値との差分が大きいものから順番に任意数又は所定数分のｅＮＢを選択する。
【００５６】
また、本実施形態においては、実施形態３と同様に、ＭＭＥ２０は、ステップＢ２において、送信電力値を徐々に上げるよう指示しても良い。このとき、送信電力値の上げ幅や、送信電力値を上げる周期は、任意に設定して良い。そして、ｅＮＢ（＃１）１０−１が、ネットワークリスニング機能により、ｅＮＢ（＃２，＃４，＃６）１０−２，１０−４，１０−６からの電波信号の受信電力を測定し、受信電力が閾値を超えた時点で、セルがオーバラップしたと判断し、その旨を通知する通知信号をＭＭＥ２０に送信する。そして、ＭＭＥ２０は、送信電力値を上げるのを停止することを指示する指示信号をｅＮＢ（＃２，＃４，＃６）１０−２，１０−４，１０−６に送信しても良い。
【００５７】
また、本実施形態においては、実施形態３と同様に、ＭＭＥ２０は、ステップＢ２の指示信号で、送信電力を上げるタイミング（時刻や、任意時間又は所定時間の経過後等）を指示しても良い。
【００５８】
（５）実施形態５
本実施形態は、実施形態３と同様に、実施形態１の無線通信システムをＬＴＥの無線通信システムに適用した例である。
ただし、実施形態３は、ｅＮＢ（＃１）１０−１に隣接しているｅＮＢの送信電力を上げていた。これに対して、本実施形態は、ｅＮＢ（＃１）１０−１に隣接しているｅＮＢの指向性アンテナの向きをｅＮＢ（＃１）１０−１の向きに変更する。そのため、本実施形態は、ｅＮＢ（＃１〜＃７）１０−１〜１０−７のアンテナ１０１が指向性のアンテナである（本実施形態の以下の記載において、アンテナ１０１を指向性アンテナ１０１と称す）。本実施形態は、これ以外の構成は実施形態３と同様である。
【００５９】
以下、本実施形態に係る無線通信システムにおいて、ｅＮＢ（＃１）１０−１がリセットを実行するためにセル範囲を狭める（又は送信電力を下げる）場合の動作について、図１０を参照して説明する。ここでは、ｅＮＢ（＃１）１０−１がセル範囲を狭める（又は送信電力を下げる）前のｅＮＢ（＃１〜＃７）１０−１〜１０−７のセル配置が、図１に示されるセル配置になっているとする。
【００６０】
ｅＮＢ（＃１）１０−１がリセットを実行するためにセル範囲を狭める（又は送信電力を下げる）ことになった場合、ｅＮＢ（＃１）１０−１の制御部１０３は、通信ＩＦ部１０４を経由し、ｅＮＢ（＃１）１０−１に隣接しているｅＮＢ（＃２，＃４，＃６）１０−２，１０−４，１０−６に対し、ｅＮＢ（＃１）１０−１の位置情報を含み、指向性アンテナ１０１の向きをｅＮＢ（＃１）１０−１の向きに変更することを指示する指示信号を送信する（ステップＣ１）。なお、本実施形態においては、ステップＣ１の指示信号の送信先を、隣接している３台のｅＮＢ（＃２，＃４，＃６）１０−２，１０−４，１０−６としたが、特に３台である必要はなく、１台でも良いし、隣接している全てのｅＮＢ（＃２〜＃７）１０−２〜１０−７でも良い。このとき、送信先として任意数又は所定数（例えば、１台や３台）分のｅＮＢを選択するに際しては、隣接しているｅＮＢ（＃２〜＃７）１０−２〜１０−７毎に、ハンドオーバ元がｅＮＢ（＃１）１０−１であるハンドオーバでハンドオーバ先となった回数を保持しておき、その回数が多いものから順番に任意数又は所定数分のｅＮＢを選択しても良い。また、ステップＣ１の指示信号は、Ｘ２  ｓｅｔｕｐ  Ｒｅｑｕｅｓｔメッセージ、ＨＯ  Ｒｅｑｕｅｓｔメッセージ、又はｅＮＢ  Ｒｅｃｏｎｆｉｇｕｒａｔｉｏｎ  Ｕｐｄａｔｅメッセージに含めて送信しても良いし、新規のメッセージに含めて送信しても良い。
【００６１】
ｅＮＢ（＃２，＃４，＃６）１０−２，１０−４，１０−６では、通信ＩＦ部１０４を経由し制御部１０３にて、ｅＮＢ（＃１）１０−１からの、指向性アンテナ１０１の向きをｅＮＢ（＃１）１０−１の向きに変更することを指示する指示信号を受信する。ｅＮＢ（＃２，＃４，＃６）１０−２，１０−４，１０−６では、その指示信号を受信した制御部１０３が、無線部１０２を制御して、指向性アンテナ１０１の向きをｅＮＢ（＃１）１０−１の向きに変更する（ステップＣ２）。本動作により、図１１に示されるように、ｅＮＢ（＃２，＃４，＃６）１０−２，１０−４，１０−６のセルの形が楕円形に変形し、ｅＮＢ（＃１）１０−１の向きにセル範囲が広がり、ｅＮＢ（＃１）１０−１のセル範囲と完全にオーバラップする。なお、本実施形態においては、ｅＮＢ（＃２，＃４，＃６）１０−２，１０−４，１０−６のセルの範囲がｅＮＢ（＃１）１０−１のセルと完全にオーバラップすることは一例であり、一部がオーバラップするだけでも良い。次に、ｅＮＢ（＃２，＃４，＃６）１０−２，１０−４，１０−６の制御部１０３は、通信ＩＦ部１０４を経由し、ｅＮＢ（＃１）１０−１に対し、指向性アンテナ１０１の向きをｅＮＢ（＃１）１０−１の向きに変更したことを通知する通知信号を送信する（ステップＣ３）。なお、本実施形態においては、ステップＣ３の通知信号は、Ｘ２  ｓｅｔｕｐ  Ｒｅｓｐｏｎｓｅメッセージ、ＨＯ  Ｒｅｑｕｅｓｔ  Ａｃｋｎｏｗｌｅｄｇｅメッセージ、又はｅＮＢ  Ｃｏｎｆｉｇｕｒａｔｉｏｎ  Ｕｐｄａｔｅ  Ａｃｋｎｏｗｌｅｄｇｅメッセージに含めて送信しても良いし、新規のメッセージに含めて送信しても良い。
【００６２】
ｅＮＢ（＃１）１０−１では、通信ＩＦ部１０４を経由し制御部１０３にて、ｅＮＢ（＃２，＃４，＃６）１０−２，１０−４，１０−６からの、指向性アンテナ１０１の向きをｅＮＢ（＃１）１０−１の向きに変更したことを通知する通知信号を受信する。ｅＮＢ（＃１）１０−１では、その通知信号を受信した制御部１０３が、無線部１０２を制御して、アンテナ１０１から送信している電波信号の送信電力を徐々に下げる（ステップＣ４）。ｅＮＢ（＃１）１０−１は、呼接続していた全てのＵＥ１２が他のｅＮＢ（＃２，＃４，＃６）１０−２，１０−４，１０−６のいずれかにハンドオーバしたか、又は送信電力が最小値まで下がった場合に（ステップＣ５）、制御部１０３にてリセットが実行される（ステップＣ６）。なお、本実施形態においては、呼接続していた全てのＵＥ１２がハンドオーバすることは一例であり、一部のＵＥ１２がハンドオーバした場合にステップＣ６が行われても良い。リセットが完了した場合（ソフトウェア更新のためのリセットであれば、リセット後のソフトウェア更新までが完了した場合）、ｅＮＢ（＃１）１０−１の制御部１０３が、無線部１０２を制御して、アンテナ１０１から送信している電波信号の送信電力を元に戻す（ステップＣ７）。次に、ｅＮＢ（＃１）１０−１の制御部１０３は、通信ＩＦ部１０４を経由し、ｅＮＢ（＃２，＃４，＃６）１０−２，１０−４，１０−６に対し、指向性アンテナ１０１の向きを元に戻すことを指示する指示信号を送信する（ステップＣ８）。なお、本実施形態においては、ステップＣ８の指示信号は、ステップＣ１の指示信号と同様のメッセージに含めて送信して良い。
【００６３】
ｅＮＢ（＃２，＃４，＃６）１０−２，１０−４，１０−６では、通信ＩＦ部１０４を経由し制御部１０３にて、ｅＮＢ（＃１）１０−１からの、指向性アンテナ１０１の向きを元に戻すことを指示する指示信号を受信する。ｅＮＢ（＃２，＃４，＃６）１０−２，１０−４，１０−６では、その指示信号を受信した制御部１０３が、無線部１０２を制御して、指向性アンテナ１０１の向きを元に戻す（ステップＣ９）。本動作により、図１に示されるように、ｅＮＢ（＃２，＃４，＃６）１０−２，１０−４，１０−６のセルの形は元の円形に戻り、ｅＮＢ（＃１）１０−１のセル範囲とオーバラップする部分（斜線部分）とオーバラップしない部分（空白部分）が発生する状態に戻る。
【００６４】
上述したように本実施形態においては、ｅＮＢ（＃１）１０−１は、セル範囲を狭める（又は送信電力を下げる）前に、ｅＮＢ（＃１）１０−１に隣接するｅＮＢ（＃２，＃４，＃６）１０−２，１０−４，１０−６に対し、指向性アンテナ１０１の向きをｅＮＢ（＃１）１０−１の向きに変更することを指示する指示信号を送信する。これにより、ｅＮＢ（＃１）１０−１がセル範囲を狭める（又は送信電力を下げる）前に、ｅＮＢ（＃１）１０−１のセルとｅＮＢ（＃２，＃４，＃６）１０−２，１０−４，１０−６のセルとがオーバラップするエリアを増やすことができる。その他の効果は実施形態３と同様である。
【００６５】
なお、本実施形態においては、ｅＮＢ（＃１）１０−１は、ステップＣ１の指示信号に含めるｅＮＢ（＃１）１０−１の位置情報を、予め登録された緯度・経度情報としても良いし、ＧＰＳ（Global Positioning System）等を利用して測定した緯度・経度情報としても良い。また、ｅＮＢ（＃１）１０−１は、ステップＣ１の指示信号に含めるｅＮＢ（＃１）１０−１の位置情報を、セル（＃１）１０−１ａのＩＤ（identity）としても良い。
【００６６】
また、本実施形態においては、ステップＣ３，Ｃ４において、ｅＮＢ（＃１）１０−１から指示を受けた、ｅＮＢ（＃２，＃４，＃６）１０−２，１０−４，１０−６の全てが、指向性アンテナ１０１の向きを変更していた。しかし、ｅＮＢ（＃２，＃４，＃６）１０−２，１０−４，１０−６は、指向性アンテナ１０１の向きが既にｅＮＢ（＃１）１０−１の向きである場合等は、ｅＮＢ（＃１）１０−１からの指示を拒否しても良い。拒否する場合は、ステップＣ３では、拒否することを通知する通知信号を送信する。この場合の通知信号は、Ｘ２  ｓｅｔｕｐ  Ｆａｉｌｕｒｅメッセージ又はｅＮＢ  Ｃｏｎｆｉｇｕｒａｔｉｏｎ  Ｕｐｄａｔｅ  Ｆａｉｌｕｒｅメッセージに含めて送信しても良いし、ＨＯ  Ｒｅｑｕｅｓｔ  Ａｃｋｎｏｗｌｅｄｇｅメッセージに拒否に関する情報要素を含めて送信しても良い。
【００６７】
また、本実施形態においては、ステップＣ３において、ｅＮＢ（＃１）１０−１は、上記の拒否を受ける場合がある。そのため、次の構成としても良い。ｅＮＢ（＃１）１０−１は、ステップＣ１で指示信号を送信した時点でタイマを起動する。そして、ｅＮＢ（＃１）１０−１は、任意時間又は所定時間内に、ｅＮＢ（＃２，＃４，＃６）１０−２，１０−４，１０−６の少なくとも１つから、指向性アンテナ１０１の向きをｅＮＢ（＃１）１０−１の向きに変更したことを通知する通知信号が受信できた場合はステップＣ４に進み、その他の場合はステップＣ１に戻って、隣接している別のｅＮＢに指示信号を送信する。
【００６８】
また、本実施形態においては、ｅＮＢ（＃１）１０−１が上記の拒否を受けないようにするため、次の構成としても良い。ｅＮＢ（＃１）１０−１は、ｅＮＢ（＃２〜＃７）１０−２〜１０−７の現在の指向性アンテナ１０１の向きを取得し、保持する。そして、ｅＮＢ（＃１）１０−１は、ステップＣ１の指示信号の送信先として任意数又は所定数（例えば、１台や３台）分のｅＮＢを選択するに際しては、現在の指向性アンテナ１０１の向きとｅＮＢ（＃１）１０−１の向きとの角度差が大きいものから順番に任意数又は所定数分のｅＮＢを選択する。
【００６９】
また、本実施形態においては、ステップＣ１において、ｅＮＢ（＃１）１０−１は、指向性アンテナ１０１の向きを変更するタイミング（時刻や、任意時間又は所定時間の経過後等）を指示信号で指示しても良い。
【００７０】
（６）実施形態６
本実施形態は、実施形態４と同様に、実施形態２の無線通信システムをＬＴＥの無線通信システムに適用した例である。
ただし、実施形態４は、ｅＮＢ（＃１）１０−１に隣接しているｅＮＢの送信電力を上げていた。これに対して、本実施形態は、ｅＮＢ（＃１）１０−１に隣接しているｅＮＢの指向性アンテナの向きをｅＮＢ（＃１）１０−１の向きに変更する。そのため、本実施形態は、ｅＮＢ（＃１〜＃７）１０−１〜１０−７のアンテナ１０１が指向性のアンテナである（本実施形態の以下の記載において、アンテナ１０１を指向性アンテナ１０１と称す）。本実施形態は、これ以外の構成は実施形態４と同様である。
【００７１】
以下、本実施形態に係る無線通信システムにおいて、ｅＮＢ（＃１）１０−１がリセットを実行するためにセル範囲を狭める（又は送信電力を下げる）場合の動作について、図１２を参照して説明する。ここでは、ｅＮＢ（＃１）１０−１がセル範囲を狭める（又は送信電力を下げる）前のｅＮＢ（＃１〜＃７）１０−１〜１０−７のセル配置が、図１に示されるセル配置になっているとする。
【００７２】
ｅＮＢ（＃１）１０−１がリセットを実行するためにセル範囲を狭める（又は送信電力を下げる）ことになった場合、ｅＮＢ（＃１）１０−１の制御部１０３は、通信ＩＦ部１０４を経由し、ＭＭＥ２０に対し、セル範囲を狭める（又は送信電力を下げる）ことを通知する通知信号を送信する（ステップＤ１）。なお、本実施形態においては、ステップＤ１の通知信号は、ＭＭＥ  Ｃｏｎｆｉｇｕｒａｔｉｏｎ  Ｕｐｄａｔｅメッセージ、ＭＭＥ  Ｄｉｒｅｃｔ  Ｉｎｆｏｒｍａｔｉｏｎ  Ｔｒａｎｓｆｅｒメッセージ、又はＭＭＥ  Ｃｏｎｆｉｇｕｒａｉｏｎ  Ｔｒａｎｓｆｅｒメッセージに含めて送信しても良いし、新規のメッセージに含めて送信しても良い。
【００７３】
ＭＭＥ２０では、通信ＩＦ部２０２を経由し制御部２０１にて、ｅＮＢ（＃１）１０−１からの、セル範囲を狭める（又は送信電力を下げる）ことを通知する通知信号を受信する。ＭＭＥ２０では、その通知信号を受信した制御部２０１が、ｅＮＢ（＃１）１０−１に隣接しているｅＮＢ（＃２，＃４，＃６）１０−２，１０−４，１０−６に対し、ｅＮＢ（＃１）１０−１の位置情報を含み、指向性アンテナ１０１の向きをｅＮＢ（＃１）１０−１の向きに変更することを指示する指示信号を送信する（ステップＤ２）。なお、本実施形態においては、ステップＤ２の指示信号の送信先を、ｅＮＢ（＃１）１０−１に隣接している３台のｅＮＢ（＃２，＃４，＃６）１０−２，１０−４，１０−６としたが、特に３台である必要はなく、１台でも良いし、隣接している全てのｅＮＢ（＃２〜＃７）１０−２〜１０−７でも良い。このとき、送信先として任意数又は所定数（例えば、１台や３台）分のｅＮＢを選択するに際しては、ｅＮＢ（＃１）１０−１に隣接しているｅＮＢ（＃２〜＃７）１０−２〜１０−７毎に、ハンドオーバ元がｅＮＢ（＃１）１０−１であるハンドオーバでハンドオーバ先となった回数を保持しておき、その回数が多いものから順番に任意数又は所定数分のｅＮＢを選択しても良い。また、ステップＤ２の指示信号は、ｅＮＢ  Ｃｏｎｆｉｇｕｒａｔｉｏｎ  Ｕｐｄａｔｅメッセージ、ｅＮＢ  Ｄｉｒｅｃｔ  Ｉｎｆｏｒｍａｔｉｏｎ  Ｔｒａｎｓｆｅｒメッセージ、又はｅＮＢ  Ｃｏｎｆｉｇｕｒａｉｏｎ  Ｔｒａｎｓｆｅｒメッセージに含めて送信しても良いし、新規のメッセージに含めて送信しても良い。
【００７４】
ｅＮＢ（＃２，＃４，＃６）１０−２，１０−４，１０−６では、通信ＩＦ部１０４を経由し制御部１０３にて、ＭＭＥ２０からの、指向性アンテナ１０１の向きをｅＮＢ（＃１）１０−１の向きに変更することを指示する指示信号を受信する。ｅＮＢ（＃２，＃４，＃６）１０−２，１０−４，１０−６では、その指示信号を受信した制御部１０３が、無線部１０２を制御して、指向性アンテナ１０１の向きをｅＮＢ（＃１）１０−１の向きに変更する（ステップＤ３）。本動作により、図１１に示されるように、ｅＮＢ（＃２，＃４，＃６）１０−２，１０−４，１０−６のセルの形が楕円形に変形し、ｅＮＢ（＃１）１０−１の向きにセル範囲が広がり、ｅＮＢ（＃１）１０−１のセル範囲と完全にオーバラップする。なお、本実施形態においては、ｅＮＢ（＃２，＃４，＃６）１０−２，１０−４，１０−６のセルの範囲がｅＮＢ（＃１）１０−１のセルと完全にオーバラップすることは一例であり、一部がオーバラップするだけでも良い。次に、ｅＮＢ（＃２，＃４，＃６）１０−２，１０−４，１０−６の制御部１０３は、通信ＩＦ部１０４を経由し、ＭＭＥ２０に対し、指向性アンテナ１０１の向きをｅＮＢ（＃１）１０−１の向きに変更したことを通知する通知信号を送信する（ステップＤ４）。なお、本実施形態においては、ステップＤ４の通知信号は、ステップＤ１の通知信号と同様のメッセージに含めて送信して良い。
【００７５】
ＭＭＥ２０では、通信ＩＦ部２０２を経由し制御部２０１にて、ｅＮＢ（＃２，＃４，＃６）１０−２，１０−４，１０−６からの、指向性アンテナ１０１の向きをｅＮＢ（＃１）１０−１の向きに変更したことを通知する通知信号を受信する。ＭＭＥ２０は、その通知信号を受信した制御部２０１にて、通信ＩＦ部１０４を経由し、ｅＮＢ（＃１）１０−１に対し、セル範囲を狭める（又は送信電力を下げる）ことを許可することを通知する通知信号を送信する（ステップＤ５）。なお、本実施形態においては、ステップＤ５の通知信号は、ステップＤ２の指示信号と同様のメッセージに含めて送信して良い。
【００７６】
ｅＮＢ（＃１）１０−１では、通信ＩＦ部１０４を経由し制御部１０３にて、ＭＭＥ２０からの、セル範囲を狭める（又は送信電力を下げる）ことを許可することを通知する通知信号を受信する。ｅＮＢ（＃１）１０−１では、その通知信号を受信した制御部１０３が、無線部１０２を制御して、アンテナ１０１から送信している電波信号の送信電力を徐々に下げる（ステップＤ６）。ｅＮＢ（＃１）１０−１は、呼接続していた全てのＵＥ１２が他のｅＮＢ（＃２，＃４，＃６）１０−２，１０−４，１０−６のいずれかにハンドオーバしたか、又は送信電力が最小値まで下がった場合に（ステップＤ７）、制御部１０３にてリセットが実行される（ステップＤ８）。なお、本実施形態においては、呼接続していた全てのＵＥ１２がハンドオーバすることは一例であり、一部のＵＥ１２がハンドオーバした場合にステップＤ８が行われても良い。リセットが完了した場合（ソフトウェア更新のためのリセットであれば、リセット後のソフトウェア更新までが完了した場合）、ｅＮＢ（＃１）１０−１の制御部１０３が、無線部１０２を制御して、アンテナ１０１から送信している電波信号の送信電力を元に戻す（ステップＤ９）。次に、ｅＮＢ（＃１）１０−１の制御部１０３は、通信ＩＦ部１０４を経由し、ＭＭＥ２０に対し、セル範囲を元に戻した（又は送信電力を元に戻した）ことを通知する通知信号を送信する（ステップＤ１０）。なお、本実施形態においては、ステップＤ１０の通知信号は、ステップＤ１の通知信号と同様のメッセージに含めて送信して良い。
【００７７】
ＭＭＥ２０では、通信ＩＦ部２０２を経由し制御部２０１にて、ｅＮＢ（＃１）１０−１からの、セル範囲を元に戻した（又は送信電力を元に戻した）ことを通知する通知信号を受信する。ＭＭＥ２０では、その通知信号を受信した制御部２０１が、ｅＮＢ（＃２，＃４，＃６）１０−２，１０−４，１０−６に対し、指向性アンテナ１０１の向きを元に戻すことを指示する指示信号を送信する（ステップＤ１１）。なお、本実施形態においては、ステップＤ１１の指示信号は、ステップＤ２の指示信号と同様のメッセージに含めて送信して良い。
【００７８】
ｅＮＢ（＃２，＃４，＃６）１０−２，１０−４，１０−６では、通信ＩＦ部１０４を経由し制御部１０３にて、ＭＭＥ２０からの、指向性アンテナ１０１の向きを元に戻すことを指示する指示信号を受信する。ｅＮＢ（＃２，＃４，＃６）１０−２，１０−４，１０−６では、その指示信号を受信した制御部１０３が、無線部１０２を制御して、指向性アンテナ１０１の向きを元に戻す（ステップＤ１２）。本動作により、図１に示されるように、ｅＮＢ（＃２，＃４，＃６）１０−２，１０−４，１０−６のセルの形は元の円形に戻り、ｅＮＢ（＃１）１０−１のセル範囲とオーバラップする部分（斜線部分）とオーバラップしない部分（空白部分）が発生する状態に戻る。
【００７９】
上述したように本実施形態においては、ＭＭＥ２０は、ｅＮＢ（＃１）１０−１がセル範囲を狭める（又は送信電力を下げる）前に、ｅＮＢ（＃１）１０−１に隣接するｅＮＢ（＃２，＃４，＃６）１０−２，１０−４，１０−６に対し、指向性アンテナ１０１の向きをｅＮＢ（＃１）１０−１の向きに変更することを指示する指示信号を送信する。これにより、ｅＮＢ（＃１）１０−１がセル範囲を狭める（又は送信電力を下げる）前に、ｅＮＢ（＃１）１０−１のセルとｅＮＢ（＃２，＃４，＃６）１０−２，１０−４，１０−６のセルとがオーバラップするエリアを増やすことができる。その他の効果は実施形態３と同様である。
【００８０】
なお、本実施形態においては、実施形態５と同様に、ＭＭＥ２０は、ステップＤ２の指示信号に含めるｅＮＢ（＃１）１０−１の位置情報を、予め登録された緯度・経度情報としても良いし、ＧＰＳ等を利用して測定した緯度・経度情報としても良い。また、ＭＭＥ２０は、ステップＤ２の指示信号に含めるｅＮＢ（＃１）１０−１の位置情報を、セル（＃１）１０−１ａのＩＤとしても良い。
【００８１】
また、本実施形態においては、実施形態５と同様に、ｅＮＢ（＃２，＃４，＃６）１０−２，１０−４，１０−６は、ステップＤ２のＭＭＥ２０からの指向性アンテナ１０１の向きを変更する指示を拒否しても良い。
【００８２】
また、本実施形態においては、ＭＭＥ２０は、上記の拒否を受けないようにするため、実施形態５と同様に、次の構成としても良い。ＭＭＥ２０は、ｅＮＢ（＃１〜＃７）１０−１〜１０−７の現在の指向性アンテナ１０１の向きを取得し、保持する。そして、ＭＭＥ２０は、ステップＤ２の指示信号の送信先として任意数又は所定数（例えば、１台や３台）分のｅＮＢを選択するに際しては、ｅＮＢ（＃２〜＃７）１０−２〜１０−７の中から、現在の指向性アンテナ１０１の向きとｅＮＢ（＃１）１０−１の向きとの角度差が大きいものから順番に任意数又は所定数分のｅＮＢを選択する。
【００８３】
また、本実施形態においては、ＭＭＥ２０は、上記の拒否を受ける場合があるため、実施形態５と同様に、次の構成としても良い。ＭＭＥ２０は、ステップＤ２で指示信号を送信した時点でタイマを起動する。そして、ＭＭＥ２０は、任意時間又は所定時間内に、ｅＮＢ（＃２，＃４，＃６）１０−２，１０−４，１０−６の少なくとも１つから、指向性アンテナ１０１の向きをｅＮＢ（＃１）１０−１の向きに変更したことを通知する通知信号が受信できた場合はステップＤ５に進み、その他の場合はステップＤ２に戻って、隣接している別のｅＮＢに指示信号を送信する。
【００８４】
また、本実施形態においては、実施形態５と同様に、ＭＭＥ２０は、ステップＤ２の指示信号で、指向性アンテナ１０１の向きを変更するタイミング（時刻や、任意時間又は所定時間の経過後等）を指示しても良い。
【００８５】
以上、実施の形態を参照して本願発明を説明したが、本願発明は上記によって限定されるものではない。本願発明の構成や詳細には、発明のスコープ内で当業者が理解し得る様々な変更をすることができる。
例えば、上記実施形態においては、第１の無線基地局の方向にセル範囲を広げることを第２の無線基地局に指示する指示信号を、第１の無線基地局から第２の無線基地局へ直接送信していた。又は、上記の指示信号は、コアネットワーク装置から第２の無線基地局へ送信していた。しかし、これには限定されず、上記の指示信号は、無線端末から第２の無線基地局へ送信しても良い。この場合、第１の無線基地局が、上記の指示信号を無線端末に送信し、これを無線端末が第２の無線基地局に転送しても良い。又は、第１の無線基地局が、セル範囲を狭める（又は送信電力を下げる）ことを通知する通知信号を無線端末に送信し、これを受けた無線端末が、上記の指示信号を第２の無線基地局に送信しても良い。また、上記の指示信号は、Ｏ＆Ｍ（Operation & Maintenance）サーバから第２の無線基地局へ送信しても良い。この場合、第１の無線基地局が、セル範囲を狭める（又は送信電力を下げる）ことを通知する通知信号をＯ＆Ｍサーバに送信し、これを受けたＯ＆Ｍサーバが、上記の指示信号を第２の無線基地局に送信しても良い。
【００８６】
また、上記実施形態においては、第１の無線基地局の方向にセル範囲を広げることを第２の無線基地局に指示する指示信号を、第１の無線基地局のリセットのためにセル範囲を狭める（又は送信電力を下げる）前に、第２の無線基地局に送信していた。しかし、上記の指示信号は、別の目的で別のタイミングで送信しても良い。例えば、第１の無線基地局のセル内の無線端末を第２の無線基地局に強制的にハンドオーバさせるためにセル範囲を狭める（又は送信電力を下げる）前に、第２の無線基地局に対して上記の指示信号を送信しても良い。
【００８７】
この出願は、２０１５年３月２日に出願された日本出願特願２０１５−０４０２４４を基礎とする優先権を主張し、その開示の全てをここに取り込む。
【符号の説明】
【００８８】
１−１，１−２  無線基地局
１Ａ  通信部
１Ｂ  制御部
２  コアネットワーク装置
２Ａ  通信部
２Ｂ  制御部
１０−１〜１０−７  ｅＮＢ
１０１  アンテナ
１０２  無線部
１０３  制御部
１０４  通信ＩＦ部
１１  Ｘ２リンク
１１０  Ｅ−ＵＴＲＡＮ
２０  ＭＭＥ
２０１  制御部
２０２  通信ＩＦ部
２１  Ｓ−ＧＷ
２２  Ｐ−ＧＷ
２３  Ｓ１リンク
２１０  ＥＰＣ
【図１】
0006551509.tif 000002
【図２】
0006551509.tif 000003
【図３】
0006551509.tif 000004
【図４】
0006551509.tif 000005
【図５】
0006551509.tif 000006
【図６】
0006551509.tif 000007
【図７】
0006551509.tif 000008
【図８】
0006551509.tif 000009
【図９】
0006551509.tif 000010
【図１０】
0006551509.tif 000011
【図１１】
0006551509.tif 000012
【図１２】
0006551509.tif 000013